(57)【要約】【課題】導光板による表示態様を変化可能として、より多彩な演出を可能とする。【解決手段】遊技機用演出装置２０は、演出画像を表示するための液晶表示装置の手前側に設けられ、所定表示パターンの溝が形成された円形導光板３１と、円形導光板３１の側面から内部へ光を入射可能な発光素子３６と、円形導光板３１を回転させる回転装置４０とを備えて構成される。これにより、回転装置４０により円形導光板３１を回転させることにより、円形導光板３１の回転位置に応じてその表示パターンの方向を変化させることができる。【選択図】図２
2018033685.tif 000002
【特許請求の範囲】
【請求項１】
複数種類の画像を表示可能な画像表示装置の手前側に設けられる遊技機用演出装置であって、
光を透過可能な透光性を有すると共に、端面から内部に入射された光を反射して前面に出射させる反射部を有する円形の導光板と、
前記導光板の端面から内部に光を入射可能に設けられた発光手段と、
前記導光板を所定の回転軸で回転させる駆動手段と、
を備え、
前記駆動手段によって前記導光板を回転させることで前記反射部の位置を変化させる、
ことを特徴とする遊技機用演出装置。
【請求項２】
請求項１記載の遊技機用演出装置であって、
前記導光板は、遊技機の前後方向に重なるように複数枚配置され、前記駆動手段の駆動力により少なくとも１枚が回転可能に構成される、
ことを特徴とする遊技機用演出装置。
【請求項３】
請求項２記載の遊技機用演出装置であって、
前記導光板は、前記駆動手段の駆動力により少なくとも回転方向と回転速度の一方が異なるように回転可能な２枚の導光板を有する、
ことを特徴とする遊技機用演出装置。
【請求項４】
請求項２または３記載の遊技機用演出装置であって、
前記駆動手段は、１の駆動源により２枚の導光板を回転可能に構成される、
ことを特徴とする遊技機用演出装置。
【請求項５】
請求項１ないし４いずれか１項に記載の遊技機用演出装置であって、
前記発光手段は、前記導光板の側面全周に亘って光を入射可能に配置される、
ことを特徴とする遊技機用演出装置。
【請求項６】
請求項１ないし４いずれか１項に記載の遊技機用演出装置であって、
前記発光手段は、前記導光板の側面における円周方向の一部に光を入射可能に配置される、
ことを特徴とする遊技機用演出装置。
【発明の詳細な説明】
【技術分野】
【０００１】
本発明は、複数種類の画像を表示可能な画像表示装置の手前側に設けられる遊技機用演出装置に関する。
【背景技術】
【０００２】
従来、この種の遊技機用演出装置としては、導光板を用いた表示装置が知られている。例えば、特許文献１には、表示用ＬＥＤと、端面から内部に入射された表示用ＬＥＤからの入射光を誘導して前面から出射させる反射部を有する矩形の導光板とを備え、反射部を、文字や図柄などの表示情報を表わすドットパターンにて形成することで、表示用ＬＥＤからの光により表示情報を表示するものが開示されている。
【先行技術文献】
【特許文献】
【０００３】
【特許文献１】特開２０１３−００２９９号公報
【発明の概要】
【発明が解決しようとする課題】
【０００４】
しかしながら、上述した遊技機用演出装置では、常に同じ表示態様でしか表示ができないため、演出パターンが単調となり易く、なお改善の余地がある。
【０００５】
本発明の遊技機用演出装置は、導光板による表示態様を変化可能として、より多彩な演出を可能とすることを主目的とする。
【課題を解決するための手段】
【０００６】
本発明の遊技機用演出装置は、上述の主目的を達成するために以下の手段を採った。
【０００７】
本発明の遊技機用演出装置は、
複数種類の画像を表示可能な画像表示装置の手前側に設けられる遊技機用演出装置であって、
光を透過可能な透光性を有すると共に、端面から内部に入射された光を反射して前面に出射させる反射部を有する円形の導光板と、
前記導光板の端面から内部に光を入射可能に設けられた発光手段と、
前記導光板を所定の回転軸で回転させる駆動手段と、
を備え、
前記駆動手段によって前記導光板を回転させることで前記反射部の位置を変化させる、
ことを要旨とする。
【０００８】
この本発明の遊技機用演出装置は、端面から内部に入射された発光手段からの光を反射して前面に出射させる反射部を有する円形の導光板と、導光板を所定の回転軸で回転させる駆動手段とを備えるものである。この遊技機用演出装置では、駆動手段によって導光板を回転させることで反射部の位置を変化させるため、導光板の回転位置に応じてその表示態様（表示角度）を変化させることができる。この結果、常に同じ表示態様でしか表示ができないものに比して、より多彩な演出を実現することができる。
【０００９】
こうした本発明の遊技機用演出装置において、前記導光板は、遊技機の前後方向に重なるように複数枚配置され、前記駆動手段の駆動力により少なくとも１枚が回転可能に構成されるものとしてもよい。こうすれば、複数枚の導光板の各々の表示情報を重ね合わせることにより、より多彩な演出が可能となる。この態様の本発明の遊技機用演出装置において、前記導光板は、前記駆動手段の駆動力により少なくとも回転方向と回転速度の一方が異なるように回転可能な２枚の導光板を有するものとしてもよい。こうすれば、複数の表示情報の重ね合わせに加えて、これらの回転方向や回転速度に違いをもたせることで、より複雑で多彩なパターンの表示を可能とすることができる。これらの態様の本発明の遊技機用演出装置において、前記駆動手段は、１の駆動源により２枚の導光板を回転可能に構成されるものとしてもよい。こうすれば、省スペース化や低コスト化を図ることができる。
【００１０】
また、本発明の遊技機用演出装置において、前記発光手段は、前記導光板の側面全周に亘って光を入射可能に配置されるものとしてもよいし、前記導光板の側面における円周方向の一部に光を入射可能に配置されるものとしてもよい。前者の場合、導光板の発光ムラを抑制することができ、後者の場合、省スペース化や低コスト化を図ることができる。
【図面の簡単な説明】
【００１１】
【図１】遊技機１の構成の概略を示す構成図である。
【図２】遊技機用演出装置２０を分解して示す分解斜視図である。
【図３】遊技機用演出装置２０を分解して示す分解斜視図である。
【図４】遊技機用演出装置２０の正面図および断面図である。
【図５】環状ギヤ３２（円形導光板３１）を回転させるための回転装置４０の構成の概略を示す構成図である。
【図６】２つの遊技機用演出装置２０Ａ，２０Ｂの配置の様子を示す説明図である。
【図７】２つの円形導光板３１Ａ，３１Ｂと液晶表示装置１２との関係を示す説明図である。
【図８】遊技機用演出装置２０と液晶表示装置１２とによる演出の様子を示す説明図である。
【図９】遊技機用演出装置２０と液晶表示装置１２とによる演出の様子を示す説明図である。
【図１０】変形例の遊技用演出装置を用いた演出の様子を示す説明図である。
【図１１】変形例の回転装置１４０の構成の概略を示す構成図である。
【図１２】変形例における発光素子３６の配置の様子を示す説明図である。
【発明を実施するための形態】
【００１２】
次に、本発明を実施するための形態を実施例を用いて説明する。
【実施例】
【００１３】
図１は遊技機１の構成の概略を示す構成図であり、図２および図３は遊技機用演出装置２０を分解して示す分解斜視図であり、図４は遊技機用演出装置２０の正面図および断面図であり、図５は環状ギヤ３２（円形導光板３１）を回転させるための回転装置４０の構成の概略を示す構成図であり、図６は２つの遊技機用演出装置２０Ａ，２０Ｂの配置の様子を示す説明図である。
【００１４】
遊技機１は、遊技球を用いて遊技を行なうパチンコ機として構成され、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による操作が可能な演出ボタン１８と、を備える。
【００１５】
遊技盤３は、遊技領域の右下部に配置された図柄表示装置１１と、遊技領域の中央に配置され各種演出画像を表示する画像表示装置としての液晶表示装置１２と、液晶表示装置１２の下方に配置され遊技球が入球可能な第１始動口（固定始動口）１３と、第１始動口１３の下方に開閉可能に配置され遊技球が入球可能な第２始動口（可変始動口）１４と、液晶表示装置１２の右下に開閉可能に配置され遊技球が入球可能な大入賞口１５と、遊技領域の下方まで流下した遊技球を回収するためのアウト口１６と、液晶表示装置１２を囲むように配置されたセンター役物１７と、液晶表示装置１２の前（手前）側に配置されて所定パターンの発光表示により演出を行なう遊技機用演出装置２０と、が設けられている。
【００１６】
遊技機１では、第１始動口１３や第２始動口１４へ遊技球が入球されたことに基づいて図柄表示装置１１にて特別図柄の変動表示を行ない、変動表示時間が終了すると、変動表示中の特別図柄を停止表示する。このとき、特別図柄が所定の大当り図柄で停止表示されると、大入賞口１５を開放する大当り遊技を実行する。また、遊技機１では、特別図柄の変動表示中に、液晶表示装置１２にて演出図柄を変動表示させ、特別図柄が大当り図柄で停止表示される場合には演出図柄を当り図柄で停止表示させ、特別図柄が外れ図柄で停止表示される場合には演出図柄を外れ図柄で停止表示させる図柄変動演出が行われる。図柄変動演出では、演出図柄の変動表示を伴ってリーチ演出や予告演出、ボタン演出なども行なわれ、これらの演出によって特別図柄が大当り図柄（演出図柄が当り図柄）で停止表示される可能性を遊技者に示唆する。遊技機用演出装置２０は、例えば、上述したリーチ演出や予告演出、ボタン演出を伴って液晶表示装置１２の前（手前）側で液晶表示装置１２の表示画像に重ねて所定パターンを発光表示することで、大当りの可能性や大当りの有無を遊技者に示唆する。以下、遊技機用演出装置２０による演出を「発光表示演出」とも呼ぶ。
【００１７】
遊技機用演出装置２０は、図２および図３に示すように、円形導光板３１を有する導光板装置３０と、円形導光板３１を回転駆動する回転装置４０と、により構成されている。
【００１８】
導光板装置３０は、図２および図３に示すように、中央に円形の開口部を有するベース２１と、例えば透明なアクリル板やポリカーボネート板により円形に形成された円形導光板３１と、円形導光板３１の側面から光を入射可能に発光素子（例えばＬＥＤ）３６が実装された発光素子基板（ＬＥＤ基板）３５と、円形導光板３１と発光素子基板３５とがベース２１に配置されてビス２３によりベース２１に取り付けられるベースカバー２２と、を備える。円形導光板３１は、図２、図３および図４に示すように、側面視が凹状の支持部材２４により外周縁がベース２１に対して回転可能に支持されている。また、円形導光板３１の外周部には、図２および図３に示すように、円形導光板３１と略同じ外径に形成された外歯の環状ギヤ３２がビス３３によって固定されている。発光素子基板３５は、図２および図３に示すように、ビス３７によりベース２１に固定され、円形導光板３１の側面全周に亘って光を入射可能に所定間隔おき（支持部材２４が設けられた部分を除いて一定間隔おき）に発光素子３６が実装されている。円形導光板３１の表面（または裏面）には所定表示パターンに沿った溝が形成されており、発光素子３６により円形導光板３１の側面から光を入射されると、入射された光を溝の溝面で反射して前面に出射することにより、所定表示パターンが発光表示される。なお、円形導光板３１に設けられるパターンとしては、連続した溝により形成するものに限られず、凹状のドットパターンにより形成するものとしてもよいし、印刷によりパターンを描画するものとしてもよい。
【００１９】
回転装置４０は、図５に示すように、ベース２１に固定された駆動モータ４１と、駆動モータ４１の回転軸に取り付けられた駆動ギヤ４２と噛合すると共に上述した環状ギヤ３２と噛合する伝達ギヤ４３と、を備え、駆動モータ４１により駆動ギヤ４２を回転駆動することにより、伝達ギヤ４３を介して環状ギヤ３２を回転させる。上述したように、環状ギヤ３２は円形導光板３１に固定されているから、環状ギヤ３２を回転させることで円形導光板３１を回転させることができる。
【００２０】
また、遊技機用演出装置２０には、円形導光板３１の回転位置（初期位置）を検知するための回転位置検出センサが設けられている。回転位置検出センサは、例えば、ベース２１に設けられた検知センサ３４ａ（図５（ａ）参照）と、環状ギヤ３２に設けられた被検知片３４ｂ（図２，図３参照）とを備えて構成される。
【００２１】
本実施例では、遊技機用演出装置２０は、遊技機１の前（手前）後（奥）方向に並べて配置された２つの遊技機用演出装置２０Ａ，２０Ｂを備える（図６参照）。２つの遊技機用演出装置２０Ａ，２０Ｂは、各々が回転装置４０Ａ，４０Ｂを備えており、対応する円形導光板３１Ａ，３１Ｂを独立して回転駆動できるようになっている。２つの遊技機用演出装置２０Ａ，２０Ｂが備える円形導光板３１Ａ，３１Ｂ（導光板装置３０Ａ，３０Ｂ）は、図７に示すように、液晶表示装置１２の前（手前）側において、それぞれ所定表示パターン（図の例では稲妻のパターン）の発光表示を行なうことにより、液晶表示装置１２の演出画像との組み合わせにより発光表示演出を行なう。
【００２２】
図８および図９は遊技機用演出装置２０と液晶表示装置１２とによる演出の様子を示す説明図である。円形導光板３１Ａ，３１Ｂは、透明であり、通常時は、発光素子３６が消灯されて遊技者による視認が困難となっている。図８に示すように、図柄変動演出（リーチ演出）の実行中に遊技機用演出装置２０Ａが発光表示演出を実行する場合、当該発光表示演出に先だって、液晶表示装置１２は、目標物（宝箱）の画像を表示する（図８（ａ）参照）。遊技機用演出装置２０Ａは、所定のタイミングで、円形導光板３１Ａを所定表示パターン（稲妻パターン）で発光表示させる発光表示演出を行なう。ここで、円形導光板３１Ａを用いた発光表示演出は、発光素子３６を消灯させた状態で円形導光板３１が所定の回転位置まで回転するよう回転装置４０Ａ（駆動モータ４１Ａ）を駆動制御した後、発光素子３６を点灯させることにより行なわれる。これにより、遊技機用演出装置２０Ａは、表示パターン（稲妻パターン）の方向を自由に変化させることができる。なお、円形導光板３１Ｂを用いて発光表示演出を行なう場合の遊技機用演出装置２０Ｂの制御についても同様に行なわれる。そして、液晶表示装置１２は、表示パターンの向かう先が目標物から逸れた場合（稲妻が宝箱に当たらなかった場合）には、図柄変動演出（リーチ演出）を外れ図柄の停止表示（例えば「７３７」）によって終了させ（図８（ｂ）参照）、表示パターンの向かう先が目標物に一致した場合（稲妻が宝箱に当たった場合）には、図柄変動演出（リーチ演出）を当り図柄の停止表示（例えば「７７７」）によって終了させる（図８（ｃ）参照）。
【００２３】
また、本実施例では、図９に示すように、発光表示演出として、円形導光板３１Ａの表示パターンの向かう先が目標物から逸れて（稲妻が宝箱に当たらずに）、外れ図柄が一旦停止表示（「７３７」）された後（図９（ｂ）参照）、円形導光板３１Ｂを発光表示させてその表示パターンの向かう先を目標物に一致させることで、再変動により当り図柄を停止表示（「７７７」）させる演出パターンを有する（図９（ｃ）参照）。
【００２４】
以上説明した実施例の遊技機用演出装置２０は、所定表示パターンの溝が形成された円形導光板３１と、円形導光板３１の側面から内部へ光を入射可能な発光素子３６と、円形導光板３１を回転させる回転装置４０とを備えて構成される。これにより、回転装置４０を用いて円形導光板３１を回転させることにより、円形導光板３１の回転位置に応じてその表示パターン（反射部）の方向を変化させることができる。この結果、導光板を用いてより多彩な演出を実現することができる。しかも、遊技機用演出装置２０は、液晶表示装置１２の手前側に設けられるから、円形導光板３１の発光表示と液晶表示装置１２の表示画像との組み合わせにより演出効果を一層高めることができる。即ち、遊技機用演出装置２０は、遊技の進行に応じて変化する液晶表示装置１２の表示画像に対応するように円形導光板３１の表示パターン（反射部）の方向（位置）を変化させることができる。これにより、円形導光板３１の表示パターンと液晶表示装置１２の表示画像との重ね合わせにより従来にない斬新な表示態様での演出表示が可能となる。
【００２５】
また、実施例の遊技機用演出装置２０は、遊技機１の前（手前）後（奥）方向に並べて２つの遊技機用演出装置２０Ａ，２０Ｂを配置し、回転装置４０Ａ，４０Ｂにより対応する円形導光板３１Ａ，３１Ｂを独立に回転可能に構成したから、円形導光板３１Ａ，３１Ｂの各表示パターンの方向を異ならせることができ、演出パターンを一層多彩なものとすることができる。
【００２６】
実施例では、遊技機用演出装置２０による発光表示演出として、図９に示すように、円形導光板３１Ａ，３１Ｂをそれぞれ異なる回転位置で発光表示させるものとしたが、円形導光板３１Ａ，３１Ｂを発光表示させながらそれぞれ異なる回転速度で回転させるものとしてもよい。例えば、図１０に示すように、円形導光板３１Ａ，３１Ｂの外周部にはそれぞれ演出対象物（自動車）が描かれた表示パターンが形成されている。図柄変動演出（リーチ演出）の実行中に発光表示演出を実行する場合、遊技機用演出装置２０Ａ，２０Ｂは、発光素子３６を点灯して円形導光板３１Ａ，３１Ｂにそれぞれ演出対象物（自動車）を発光表示させ、液晶表示装置１２は、円形導光板３１Ａ，３１Ｂの周方向に所定間隔を隔てた位置にスタート地点とゴール地点とを示す演出画像を表示する（図１０（ａ）参照）。そして、遊技機用演出装置２０Ａ，２０Ｂは、円形導光板３１Ａ，３１Ｂをそれぞれ異なる回転速度で同じ回転方向に回転させることにより発光表示演出を実行する（図１０（ｂ）参照）。液晶表示装置１２は、円形導光板３１Ａに対応する演出対象物（自動車）の方が円形導光板３１Ｂに対応する演出対象物（自動車）よりもゴール地点に早く到達した場合には、図柄変動演出（リーチ演出）を外れ図柄の停止表示（例えば「７３７」）によって終了させ（図１０（ｃ）参照）、円形導光板３１Ｂに対応する演出対象物（自動車）の方が円形導光板３１Ａに対応する演出対象物（自動車）よりもゴール地点に早く到達した場合には、図柄変動演出（リーチ演出）を当り図柄の停止表示（例えば「７７７」）によって終了させる（図１０（ｄ）参照）。
【００２７】
なお、上述した変形例では、所定表示パターンを発光表示させた状態で円形導光板３１Ａ，３１Ｂをそれぞれ異なる回転速度で同じ回転方向に回転させるものとしたが、円形導光板３１Ａ，３１Ｂをそれぞれ同じ回転速度で異なる回転方向に回転させるものとしてもよいし、同じ回転速度で同じ回転方向に回転させるものとしてもよいし、異なる回転速度で異なる回転方向に回転させるものとしてもよい。また、円形導光板３１Ａ，３１Ｂの両方をそれぞれ回転装置４０Ａ，４０Ｂにより回転可能に構成したが、円形導光板３１Ａ，３１Ｂの一方のみを回転可能に構成してもよい。この場合、回転装置は、何れか一方にのみ備えるものとすればよい。
【００２８】
実施例では、駆動装置４０として、２つの円形導光板３１Ａ，３１Ｂをそれぞれ回転させる２つの回転装置４０Ａ，４０Ｂを備えるものとしたが、図１１に示すように、１の回転装置１４０を用いて２つの円形導光板３１Ａ，３１Ｂ（環状ギヤ３２Ａ，３２Ｂ）を独立して回転可能に構成するものとしてもよい。この変形例の回転装置１４０は、駆動モータ１４１と、駆動モータ１４１の回転軸に取り付けられた駆動ギヤ（図示せず）と環状ギヤ３２Ａに噛合する伝達ギヤ１４３Ａとの間で駆動力を伝達する複数の中間ギヤ１４５，１４４Ａと、駆動モータ１４１の回転軸に取り付けられた駆動ギヤと環状ギヤ３２Ｂに噛合する伝達ギヤ１４３Ｂとの間で駆動力を伝達する中間ギヤ１４４Ｂと、を備える。中間ギヤ１４４Ａ，１４４Ｂは、一方の回転方向のみ駆動力を伝達し他方向の回転は空転するワンウェイクラッチが内蔵されている。これにより、駆動モータ１４１が正転駆動すると、駆動モータ１４１の駆動力は中間ギヤ１４５，１４４Ａを介して伝達ギヤ１４３Ａへ伝達されて、環状ギヤ３２Ａ、即ち円形導光板３１Ａが回転する一方、駆動モータ１４１の駆動力は中間ギヤ１４４Ｂ（ワンウェイクラッチ）で遮断され、円形導光板３１Ｂは回転しない。また、駆動モータ１４１が逆転駆動すると、駆動モータ１４１の駆動力は中間ギヤ１４４Ｂを介して伝達ギヤ１４３Ｂへ伝達されて、環状ギヤ３２Ｂ、即ち円形導光板３１Ｂが回転する一方、駆動モータ１４１の駆動力は中間ギヤ１４４Ａ（ワンウェイクラッチ）で遮断され、円形導光板３１Ａは回転しない。したがって、駆動モータ１４１を正転と逆転とを切り替えることで、円形導光板３１Ａ，３１Ｂを１の駆動源（駆動モータ１４１）で独立して回転させることができ、省スペース化および低コスト化を図ることができる。
【００２９】
なお、この変形例では、２つの円形導光板３１Ａ，３１Ｂを同じ回転方向に回転させるために中間ギヤ１４５を３つ設けるものとしたが、この中間ギヤ１４５を２つにしてもよい。こうすれば、２つの円形導光板３１Ａ，３１Ｂをそれぞれ逆方向に回転させることができる。また、中間ギヤ１４４Ａ，１４４Ｂの両方にワンウェイクラッチを内蔵するものとしたが、一方の中間ギヤのみにワンウェイクラッチを内蔵するものとしてもよい。こうすれば、駆動モータ１４１を正転駆動することにより、２つの円形導光板３１Ａ，３１Ｂを同時に回転させることができ、駆動モータ１４１を逆転駆動することにより、一方の円形導光板のみを回転させることができる。
【００３０】
実施例では、発光素子３６は、円形導光板３１の側面全周（３６０度の範囲）に亘って光を入射可能に所定間隔おき（支持部材２４が設けられた部分を除いて一定間隔おき）に配置されるものとしたが、図１２に示すように、円形導光板３１の側面における円周方向の一部（例えば９０度の範囲）にのみ光を入射可能に所定間隔おきに配置されるものとしてもよい。これにより、省スペース化および低コスト化を図ることができる。この場合、発光素子３６は、円形導光板３１の上部に配置されるのが好適である。これは、発光素子３６を円形導光板３１の左部や右部に配置すると、円形導光板３１の明暗（表示ムラ）が目立ちやすく、また、図１に示すように、円形導光板３１の下部となる遊技盤３の位置に第１始動口１３や第２始動口１６、アウト口１６、大入賞口１５等が配置される場合、これらの部材によって遊技者に明暗（表示ムラ）を感じさせにくいと考えられ、発光素子３６を円形導光板３１の下部に配置してその周辺部分を必要以上に明るくする必要がないためである。
【００３１】
実施例では、発光表示演出を実行する場合に、円形導光板３１の側面全周に亘って配置された全ての発光素子３６を点灯させるものとしたが、点灯させる発光素子３６を円形導光板３１の回転位置に応じて変化させるものとしてもよい。この制御は、特に、円形導光板３１に方向性をもった図柄が形成されている場合に有効なものとなる。
【００３２】
実施例では、遊技機用演出装置２０として、遊技盤３に対して前（手前）後（奥）に並べて配置された２つの遊技機用演出装置２０Ａ，２０Ｂを備えるものとしたが、１つしか備えないものとしてもよいし、３つ以上備えるものとしてもよい。
【００３３】
実施例では、画像表示装置として液晶表示装置１２を用いるものとしたが、複数種類の画像を表示可能なものであれば、他の如何なる画像表示装置を用いるものとしてもよい。例えば、画像表示装置として有機ＥＬディスプレイを用いるものとしてもよい。また、画像表示装置として、外周面（リール）に複数種類の図柄が設けられたドラムを用いるものとしてもよい。このドラムを備えるスロットマシンに本発明を適用する場合、遊技機用演出装置２０（円形導光板３１）による発光表示演出を、スタートレバーの操作に基づいて行なわれる内部抽選の結果を示唆する示唆演出として実行することができる。例えば、円形導光板３１の表示パターンとして子役（チェリーやスイカ等）の絵柄パターンを設けるものとし、内部抽選により子役が成立すると、円形導光板３１を発光表示させて成立した子役を示唆するものとしてもよい。ここで、子役としてボーナスやＡＲＴ等（以下、ボーナス等）に繋がりやすい強い子役（例えば強チェリーや強スイカ）とボーナス等に繋がりにくい弱い子役（例えば弱チェリーや弱スイカ）とを備える場合、成立した子役の強弱（ボーナス等への繋がりやすさ）に応じて発光表示演出の演出パターン（円形導光板３１の回転態様）を変化させてもよい。例えば、発光表示演出の演出パターンとして、円形導光板３１を回転させずに円形導光板３１の絵柄を発光表示させるパターン１、円形導光板３１を３６０度未満の所定角度範囲で往復移動させながら円形導光板３１に絵柄を発光表示させるパターン２、円形導光板３１を３６０度以上回転させがら円形導光板３１に絵柄を発光表示させるパターン３とを設け、パターン１を子役が成立したがその強弱が不明なパターンとし、パターン２を弱い子役が成立したことを示唆するパターンとし、パターン３を強い子役が成立したことを示唆するパターンとすることができる。また、複数種類の絵柄が設けられた複数のリールを備える場合、全リールの回転中にパターン１を一旦実行し、第１リールが停止した後、成立した子役の強弱に応じてパターン２またはパターン３を実行するものとしてもよい。
【００３４】
また、実施例では、本発明をパチンコ機に適用するものとしたが、これに限定されるものではなく、パチンコ機以外の遊技機、例えばスロットマシンやスロットマシンとパチンコ機との融合機、その他の遊技機に本発明を適用してもよい。
【００３５】
実施例の主要な要素と課題を解決するための手段の欄に記載した発明の主要な要素との対応関係について説明する。実施例では、液晶表示装置１２が「画像表示装置」に相当し、円形導光板３１（３１Ａ，３１Ｂ）が「導光板」に相当し、所定表示パターンに沿って形成された溝が「反射部」に相当し、発光素子３６が「発光手段」に相当し、回転装置４０（４０Ａ，４０Ｂ）が「駆動手段」に相当する。
【００３６】
以上、本発明の実施の形態について説明したが、本発明はこうした実施形態に何等限定されるものではなく、本発明の要旨を逸脱しない範囲内において、種々なる形態で実施し得ることは勿論である。
【産業上の利用可能性】
【００３７】
本発明は、遊技機用演出装置の製造産業に利用可能である。
【符号の説明】
【００３８】
１  遊技機、２  本体、３  遊技盤、４  スピーカ、５  上受け皿、６  下受け皿、７  発射ハンドル、１１  図柄表示装置、１２  液晶表示装置、１３  第１始動口、１４  第２始動口、１５  大入賞口、１６  アウト口、１７  センター役物、１８  演出ボタン、２０，２０Ａ，２０Ｂ  遊技機用演出装置、２１  ベース、２２  ベースカバー、２３  ビス、２４  支持部材、３０，３０Ａ，３０Ｂ  導光板装置、３１，３１Ａ，３１Ｂ  円形導光板、３２，３２Ａ，３２Ｂ  環状ギヤ、３３  ビス、３４ａ  検出センサ、３４ｂ  被検知片、３５  発光素子基板、３６  発光素子、３７  ビス、４０，４０Ａ，４０Ｂ，１４０  回転装置、４１，１４１  駆動モータ、４２  駆動ギヤ、４３，１４３Ａ，１４３Ｂ  伝達ギヤ、１４４Ａ，１４４Ｂ，１４５  中間ギヤ。
【図１】
2018033685.tif 000003
【図２】
2018033685.tif 000004
【図３】
2018033685.tif 000005
【図４】
2018033685.tif 000006
【図５】
2018033685.tif 000007
【図６】
2018033685.tif 000008
【図７】
2018033685.tif 000009
【図８】
2018033685.tif 000010
【図９】
2018033685.tif 000011
【図１０】
2018033685.tif 000012
【図１１】
2018033685.tif 000013
【図１２】
2018033685.tif 000014